(57)【特許請求の範囲】
【請求項１】
内向きの溝形鋼からなる一対の平行な長辺フレーム材およびこれら長辺フレーム材間に接合した複数本の短辺フレーム材からなる鋼製のパネルフレームと、前記鋼製パネルフレーム上に長辺に沿って設置された複数本の平行な木製の根太と、この根太上に設けられた床板とを備え、前記長辺フレーム材は建物躯体の梁または胴差となる床パネルを固定する固定構造であって、鋼製の下階柱を挟んで配置される一対の下階外壁パネルの上辺フレーム材の上面に、前記下階柱の近傍部でねじ孔を設け、このねじ孔に両切ボルトを上面に突出状態にねじ込み、前記下階柱の上端に柱頭プレートを設け、前記床パネルのパネルフレームを下階外壁パネルの上辺フレーム材に載せ、前記パネルフレームに設けられた固定孔に前記下階外壁パネルの両切ボルトを挿通し、この両切ボルトに螺着したナットで前記パネルフレームを下階外壁パネルの上辺フレーム材に固定し、前記柱頭プレートに設けた孔、および両側の床パネルのパネルフレームに設けた孔にわたって挿通するボルトで両側の床パネルと柱頭プレートとを接合した上階床パネルの固定構造。
【請求項２】
前記床パネルは、前記鋼製パネルフレームに水平ブレースを張ったものである請求項１記載の上階床パネルの固定構造。
【発明の詳細な説明】
【０００１】
【発明の属する技術分野】
この発明は、鉄骨系工業化住宅等の建物における２階部等の上階床パネルの固定構造に関する。
【０００２】
【従来の技術】
従来、鉄骨系の軸組併用パネル工法住宅において、床パネルとして複数本の木製根太上に合板やパーィクルボード等の床板を張った小型のものを使用し、鉄骨製の胴差または梁上に設置する構成が一般に採られている。この場合、各部の柱には１，２階に渡る通し柱が使用され、外壁パネルには１，２階に各々別のものが使用される。
【０００３】
【発明が解決しようとする課題】
しかし、このように柱，梁による鉄骨軸組に床パネルと壁パネルを組付ける構造では、部材点数が多くなり、接合箇所が多くて建方作業に手間がかかるという問題点がある。
【０００４】
この発明の目的は、部材点数が少なく、少ない工程で施工できて、施工時間が短縮できる上階床パネルの固定構造を提供することである。
【０００５】
【課題を解決するための手段】
この発明の上階床パネルの固定構造に用いられる床パネルは、内向きの溝形鋼からなる一対の平行な長辺フレーム材およびこれら長辺フレーム材間に接合した複数本の短辺フレーム材からなる鋼製のパネルフレームと、前記鋼製パネルフレーム上に長辺に沿って設置された複数本の平行な木製の根太と、この根太上に設けられた床板とを備えたものであり、前記長辺フレーム材は建物躯体の梁または胴差となる。
前記鋼製パネルフレームには水平ブレースを張ってもよい。
【０００６】
この発明の上階床パネルの固定構造は、前記床パネルを固定する固定構造であって、鋼製の下階柱を挟んで配置される一対の下階外壁パネルの上辺フレーム材の上面に、前記下階柱の近傍部でねじ孔を設け、このねじ孔に両切ボルトを上面に突出状態にねじ込み、前記下階柱の上端に柱頭プレートを設ける。前記床パネルのパネルフレームを下階外壁パネルの上辺フレーム材に載せ、前記パネルフレームに設けられた固定孔に前記下階外壁パネルの両切ボルトを挿通する。この両切ボルトに螺着したナットで前記パネルフレームを下階外壁パネルの上辺フレーム材に固定し、前記柱頭プレートに設けた孔、および両側の床パネルのパネルフレームに設けた孔にわたって挿通するボルトで両側の床パネルと柱頭プレートとを接合する。
【０００９】
【作用】
この構成の床パネルによると、鋼製パネルフレーム材の上に、根太、床板などを設け、パネルフレームが建物躯体の梁または胴差となるものとしたため、床パネルを設置するだけで、梁や胴差の設置とその梁などへの床パネルの設置とが一度に済む。そのため、部材の吊り込みや、接合作業などの施工工程が少なくなり、施工時間が短縮される。
鋼製パネルフレームに水平ブレースを張った場合は、床パネルの強度が向上する。
【００１０】
また、この上階床パネルの固定構造によると、上階床パネルを下階外壁パネル上に吊り降ろし、ボルト接合することにより、上階床パネルを下階外壁パネルの上辺フレーム材や下階柱、床大梁などに容易に固定することができる。また、隣合う床パネル同志を下階柱の柱頭プレートと共にボルト接合するので、胴差等となる床パネルのパネルフレーム同志の接合や、下階柱との接合が堅固に行える。
【００１２】
【発明の実施の形態】
この発明の一実施例を図１ないし図１０に基づいて説明する。図２はこの発明の上階床パネルの固定構造を適用した建物の一階部分を示す分解斜視図である。建物外周部における布基礎１上の複数箇所には、布基礎１のアンカーボルト２が貫通するボルト挿通孔４を有するベースプレート３を配置し、これら各ベースプレート３の屋外側部分に、前記アンカーボルト２が貫通するボルト挿通孔６を有する鋼製土台５を配置する。前記アンカーボルト２にナット７（図１）を螺着することにより、前記ベースプレート３と鋼製土台５とを布基礎１の上に締め付け固定する。鋼製土台５は、図３（Ｃ）に示すように、重量鉄骨の溝形鋼からなる土台本体５ａと、その上下フランジ間に各々溶接した複数枚の補強プレート５ｂと、Ｌ形に屈曲した端部プレート５ｃとからなる短尺のピース物としてある。なお、鋼製土台５は、布基礎１に沿って延びる長尺物としても良い。
【００１３】
ベースプレート３上の屋内側部分には一階床パネルである下階床パネル８のパネルフレーム９を載せ、ベースプレート３上にボルト締めする。一階床パネル８は、図５に示す鋼製のパネルフレーム９の上に、その長辺に沿って図２のように複数本の平行な木製の根太１０を設け、この根太１０の上に合板等からなる床板１１を設け、この床板１１の裏面の各根太１０間の空間にポリスチレンフォーム等からなる断熱材１２（図１）を設けたものである。パネルフレーム９は、外枠部を構成する一対の長辺フレーム材９ａが外向きの溝形鋼からなり、これら長辺フレーム材９ａ，９ａ間に、長辺フレーム材９ａよりも上下幅の狭い溝形鋼製の短辺フレーム材９ｂが、パネル外周部および中間位置に接合してある。長辺フレーム材９ａの下フランジにはベースプレート３の上面に突設されたボルト１３や固定ピン１４が貫通する固定孔１５が形成されている。出隅部等や床パネル長さの中央位置に対応する布基礎１上においては、図１や図３（Ｂ）のように前記ボルト１３に螺着するナット１６で一階床パネル８のパネルフレーム９をベースプレート３上に締付け固定する。ナット６の下には座金となる角プレート状の金具１７Ａを介在させる。
なお、外壁部分の布基礎１上における一部のベースプレート３Ａは、一階床パネル８を載せる屋内側部分のないものとし、このベースプレート３Ａ上に前記ベースプレート３と同様に鋼製土台５を載置し、アンカーボルト２で固定する。また、各鋼製土台５の屋外側は、土台カバー５４で覆い、その外側に布基礎外面のモルタル５５を塗る。
【００１４】
外壁部分の布基礎１上のうち、一対の下階床パネル８，８が隣合う部分に配置するベースプレート３には、図３（Ａ），（Ｄ）のように隣合う下階床パネル８のパネルフレーム９の固定孔１５（図２）に嵌まる一対の固定ピン１４，１４と、両固定ピン１４の中間に位置するボルト１３が突設してある。隣合う下階床パネル８のパネルフレーム９は、それらの各固定孔１５が前記ベースプレート３の対応する固定ピン１４に嵌まるように配置し、さらに図３（Ｄ）のように前記各固定ピン１４とボルト１３が貫通する３つの孔を有する板状の押え金物１７を両パネルフレーム９，９の下フランジ間に跨がるように配置する。その後、前記ボルト１３にナット１６を螺着して前記押え金物１７を押えることにより、隣合う下階床パネル８のパネルフレーム９がベースプレート３上に固定される。
【００１５】
また、図２の内部布基礎１Ａ上の下階内部柱１８Ａが立設される部分では、図４のように下階内部柱１８Ａの下端に溶接された足元プレート１９を内部布基礎１Ａ上に載せ、足元プレート１９に形成したボルト挿通孔２５（図２）に貫通するアンカーボルト２にナット７を螺着して締め付け固定する。足元プレート１９上には隣合う一対の下階床パネル８，８のパネルフレーム９を載せる。足元プレート１９の上面には、両パネルフレーム９，９の下フランジの固定孔１５に嵌合する各固定ピン１４Ａ，１４Ａと、両固定ピン１４Ａ，１４Ａの中間に位置するボルト１３Ａとが突設してある。隣合う両パネルフレーム９，９の下フランジ間に跨がって、両固定ピン１４Ａ，１４Ａおよびボルト１３Ａが各々嵌まる複数の孔を有する足元プレート押え金物２０を配置し、前記ボルト１３Ａに螺合するナット２１の締め付けにより、前記足元プレート押え金物２０を介して両下階床パネル８，８のパネルフレーム９を足元プレート１９上に固定する。
【００１６】
前記ベースプレート３，３Ａ上の屋外側部分に固定した鋼製土台５の上には、図１のように一階外壁パネル２２を載せ、一部の鋼製土台５に対してボルト２３で締め付け固定する。すなわち、一部の鋼製土台５の上フランジには図３（Ｄ）のようにボルト挿通孔２４Ａ，２４Ｂを設け、一階外壁パネル２２の下辺フレーム材２６ｂに設けられたボルト２３（図１）を前記ボルト挿通孔２４Ａに挿入してボルト接合することにより取付ける。
【００１７】
図６に示す２階用等の上階床パネル２８は、図９のように内向きの溝形鋼からなる一対の平行な長辺フレーム材２９ａ，２９ａ、およびこれら長辺フレーム材２９ａ，２９ａ間に接合した複数本の短辺フレーム材２９ｂからなる鋼製のパネルフレーム２９を有する。このパネルフレーム２９の上に、長辺フレーム材２９ａに沿って複数本の平行な木製の根太３０を設け、根太３０上にパーティクルボードまたは合板等からなる床板３１を設けて上階床パネル２８が構成される。パネルフレーム２９には、図９（Ａ）のように水平ブレース３２を交差状に張って補強する。水平ブレース３２は、中間にターンバクル（図示せず）を有する鋼棒等からなる。
【００１８】
上階床パネル２８は、図６に示す一階外壁パネルである下階外壁パネル２２および上階床大梁３３の設置後に取付ける。下階外壁パネル２２は、いずれも鋼製の下階柱１８を挟んでその両側に配置され、下階柱１８とボルト結合される。これら一階外壁パネル２２の上辺フレーム材２６ａの上面には、下階柱１８の近傍部でねじ孔３４を設け、このねじ孔３４に両切ボルト３５を上面に突出状態にねじ込む。また、下階柱１８の上端には柱頭プレート３６を起立姿勢に設ける。
前記上階床大梁３３はＨ形鋼等からなり、図９に１棟の住宅の２階床の配置例を示すように、両側の妻面の中央間に渡って１本だけ配置される。各上階床パネル２８は、上階床大梁３３の両側で、各々長辺方向を妻面と平行として上階床大梁３３と下階外壁パネル２２の間に架設される。上階床パネル２８は、端部が下階外壁パネル２２の上に載せられることになる。上階床大梁３３の両側面にはねじ孔３８を有する床パネル接合プレート３７を溶接等で接合して設け、前記ねじ孔３８に両切ボルト３９をねじ込んでおく。
【００１９】
上階床パネル２８の設置にあたっては、クレーン等で設置高さまで吊り降ろした後、長辺フレーム材２９ａの端板２７の孔４０を、上階床大梁３３の両切ボルト３９に図７（Ｃ）に矢印で示すように入れ込む。ついで、上階床パネル２８のパネルフレーム２９を一階外壁パネル２２の上辺フレーム材２６ａに載せ、前記パネルフレーム２９に設けられた固定孔４１（図７（Ｂ））に一階外壁パネル２の両切ボルト３５を挿通させる。この両切ボルト３５にナット４２（図１）を螺着することにより、上階床パネル２８のパネルフレーム２９を一階外壁パネル２２の上辺フレーム材２６ａに接合する。また、上階床大梁３３の両切ボルト３９にもナット（図示せず）を螺着し、上階床パネル２８を上階床大梁３３に接合する。
また、前記柱頭プレート３６に設けた孔４３（図７（Ａ），（Ｂ））、および隣合う両上階床パネル２８，２８のパネルフレーム２９に設けた孔４４（図７（Ｂ））にわたって挿通するボルト４５で、図８のように両上階床パネル２８，２８と柱頭プレート３６とを縫い合わせ接合する。なお、上階柱１８Ｂの柱下端プレート３６Ａと、その両側の上階床パネル２８，２８も、図８（Ａ）のように同様にしてボルト４５で接合する。このようにして設置された前記上階床パネル２８のパネルフレーム２９の長辺フレーム材１９ａは、建物躯体の梁または胴差となる。
【００２０】
前記上階床パネル２８に対しては、図７（Ｄ）のようにして鋼製のバルコニー腕木４６を固定する。すなわち、バルコニー腕木４６の板状となった基端部に予めねじ孔を設けておいて、両切ボルト４７を片面に突出状態に取付けておく。片方の上階床パネル２８が設置された後、そのパネルフレーム２９に設けられた孔４８に両切ボルト４７を挿通してナット締めすることにより、バルコニー腕木４６を上階床パネル２８に固定する。もう片方の上階床パネルが設置された後、両側の上階床パネル２８，２８のパネルフレーム２９に設けられた孔４９（図７（Ｂ））と、前記バルコニー腕木４６の基端部に設けたボルト挿通孔５０とにわたってボルト５１を挿通させてナット５２で締め付ける。このように取付けられる一対のバルコニー腕木４６により、バルコニー５３（図６（Ｂ））の両端が支持される。なお、両切ボルト４７は、片方の上階床パネル２８に取付けておいて、その上階床パネル２８の設置後にバルコニー腕木４６を両切ボルト４７に取付けるようにしても良い。
【００２１】
この実施例の構造によると、このようにして、各部材を順次上方へ積み重ね、各階の床パネル８，２８等の設置に際して、床上からのボルト締め作業により容易に固定することができる。そのため建方作業が非常に簡単であり、棟上げが非常に短期間で行える。
【００２２】
【発明の効果】
この発明の上階床パネルの固定構造は、内向きの溝形鋼からなる一対の平行な長辺フレーム材およびこれら長辺フレーム材間に接合した複数本の短辺フレーム材からなる鋼製のパネルフレームと、前記鋼製パネルフレーム上に長辺に沿って設置された複数本の平行な木製の根太と、この根太上に設けられた床板とを設け、前記長辺フレーム材を建物躯体の梁または胴差とする床パネルの固定構造であって、鋼製の下階柱を挟んで配置される一対の下階外壁パネルの上辺フレーム材の上面に、前記下階柱の近傍部でねじ孔を設け、このねじ孔に両切ボルトを上面に突出状態にねじ込み、前記下階柱の上端に柱頭プレートを設け、前記床パネルのパネルフレームを下階外壁パネルの上辺フレーム材に載せ、前記パネルフレームに設けられた固定孔に前記下階外壁パネルの両切ボルトを挿通し、この両切ボルトに螺着したナットで前記パネルフレームを下階外壁パネルの上辺フレーム材に固定し、前記柱頭プレートに設けた孔、および両側の床パネルのパネルフレームに設けた孔にわたって挿通するボルトで両側の床パネルと柱頭プレートとを接合したため、上階床パネルをボルト接合により下階外壁パネルの上辺フレーム材上に容易にかつ堅固に固定することができる。
【図面の簡単な説明】
【図１】  この発明の一実施例に係る上階床パネルの固定構造を適用した建物の部分縦断面図である。
【図２】同建物における一階部分の分解斜視図である。
【図３】（Ａ）は同建物におけるベースプレートの取付部を示す斜視図、（Ｂ）は出隅部での下階床パネルの取付部を示す斜視図、（Ｃ）は鋼製土台の取付部を示す斜視図、（Ｄ）は隣合う下階床パネルの取付部を示す斜視図である。
【図４】（Ａ）〜（Ｃ）は同建物における内部布基礎上での下階床パネルの取付部を示す平面図、側面図および正面図である。
【図５】（Ａ）〜（Ｃ）は同建物に用いる下階床パネルのパネルフレームを示す平面図、側面図および正面図である。
【図６】同建物における上階部分の分解斜視図である。
【図７】（Ａ）は同建物における隣合う下階外壁パネルの上端部を示す斜視図、（Ｂ）は隣合う上階床パネルの取付部を示す斜視図、（Ｃ）は上階床大梁の斜視図、（Ｄ）はバルコニー腕木の取付部を示す分解斜視図である。
【図８】（Ａ），（Ｂ）は下階外壁パネル上への上階床パネルの取付構造を示す正面図および側面図である。
【図９】上階床パネルの配置例を示す縮小平面図である。
【図１０】（Ａ）〜（Ｃ）は同建物に用いる上階床パネルのパネルフレームを示す平面図、側面図および正面図である。
【符号の説明】
１８…下階柱、２２…下階外壁パネル、２６ａ…上辺フレーム材、２７…端板、２８…上階床パネル、２９…パネルフレーム、２９ａ…長辺フレーム材、２９ｂ…短辺フレーム材、３０…根太、３１…床板、３２…水平ブレース、３３…床大梁、３４…ねじ孔、３５…両切ボルト、３６…柱頭プレート、３７…床パネル接合プレート、３８…ねじ孔、３９…両切ボルト、４０…孔、４１…固定孔、４２…ナット、４３…孔、４４…孔、４５…ボルト、４６…バルコニー腕木、４７…両切ボルト、４８…位置決め孔、４９…孔、５０…ボルト挿通孔、５１…ボルト、５２…ナット
【図１】
0003667392.tif 000002
【図２】
0003667392.tif 000003
【図３】
0003667392.tif 000004
【図４】
0003667392.tif 000005
【図５】
0003667392.tif 000006
【図６】
0003667392.tif 000007
【図７】
0003667392.tif 000008
【図８】
0003667392.tif 000009
【図９】
0003667392.tif 000010
【図１０】
0003667392.tif 000011